(57)【要約】      （修正有）【課題】光ディスク装置において、トラッキングエラー信号等におけるノイズ低減が可能な技術の提供。【解決手段】フェライトを用いたノイズフィルタ１を、レーザーダイオード６から出射されるレーザー光の強さを監視するモニタダイオード２と該モニタダイオード２の出力信号を処理する回路との間に設ける。【効果】モニタダイオード出力信号のノイズが低減するため、トラッキングエラー信号、フォーカスエラー信号やＲＦ信号等において十分なノイズ低減が行なわれる。【選択図】  図２
2004253066.tif 000002
【特許請求の範囲】
【請求項１】
レーザーダイオードからのレーザー光を光ディスクの記録面に照射し、情報の記録、再生のいずれか一方または両方を行う光ディスク装置において、
上記レーザーダイオードを駆動するレーザー駆動回路と、
上記レーザーダイオードから出射されるレーザー光の強さを監視するモニタダイオードと、
該モニタダイオードの出力信号に基づき、上記レーザー駆動回路を介し上記レーザーダイオードの出力を制御するための制御信号を形成する出力制御回路と、
フェライトを用いて構成され、上記モニタダイオードと上記出力制御回路との間に設けられるノイズフィルタと、
を備え、上記ノイズフィルタにより、上記モニタダイオードの出力信号にノイズが重畳するのを抑えた状態で、上記レーザーダイオードの出力を制御する構成としたことを特徴とする光ディスク装置。
【請求項２】
レーザーダイオードからのレーザー光を光ディスクの記録面に照射し、情報の記録、再生のいずれか一方または両方を行う光ディスク装置において、
上記レーザーダイオードを駆動するレーザー駆動回路と、
上記レーザーダイオードから出射されるレーザー光の強さを監視するモニタダイオードと、
該モニタダイオードの出力信号を増幅する増幅回路を含み、該増幅された信号に基づき、上記レーザー駆動回路を介し上記レーザーダイオードの出力を制御するための制御信号を形成する出力制御回路と、
フェライトを用いて構成され、上記モニタダイオードと上記増幅回路との間に設けられるノイズフィルタと、
を備え、上記ノイズフィルタにより上記モニタダイオードの出力へのノイズ重畳を抑えた状態で上記制御信号を形成し、該制御信号により上記レーザー駆動回路の出力を制御する構成としたことを特徴とする光ディスク装置。
【請求項３】
上記ノイズフィルタは、上記出力制御回路側にあって上記増幅回路の入力部に接続される請求項２に記載の光ディスク装置。
【発明の詳細な説明】
【０００１】
【発明の属する技術分野】
本発明は、光ディスク装置におけるノイズ低減化技術に関する。
【０００２】
【従来の技術】
本発明に関連した従来技術としては例えば、特開２０００−６７４４１号公報（特許文献１）や特開２００２−４２３６３号公報（特許文献２）に記載されたものがある。特開２０００−６７４４１号には、トラッキングエラー信号などの制御信号中に含まれる高周波成分のノイズを抵抗ＲとコンデンサＣにより減衰させる構成が記載され、特開２００２−４２３６３号公報には、受光素子からの電流出力を演算し該演算結果を差動信号として出力し、コントローラ部に供給して、信号線ノイズの影響を緩和する構成が記載されている。
【０００３】
【特許文献１】
特開平２０００−６７４４１号
【特許文献２】
特開２００２−４２３６３号公報
【０００４】
【発明が解決しようとする課題】
上記従来技術のうち特開平２０００−６７４４１号記載の技術では、抵抗ＲやコンデンサＣの接続用スペースを確保する必要があるし、特開２００２−４２３６３号公報記載の技術では、演算に基づく差動信号によっても十分なノイズ低減を図れないおそれがある。また、いずれも入力された信号を信号処理する過程でノイズ低減する技術であり、対応した回路構成が必要になるなど回路側での負担が増えるおそれがある。
本発明の課題点は、上記従来技術の状況に鑑み、光ディスク装置において、簡易構成かつ小スペース下で、トラッキングエラー信号（以下、ＴＥ信号という）や、フォーカスエラー信号（以下、ＦＥ信号という）や、ＲＦ信号などにおいて十分なノイズ低減を行えるようにすることである。
本発明の目的は、かかる課題点を解決できる技術の提供にある。
【０００５】
【課題を解決するための手段】
上記課題点を解決するために、本発明では、基本的に、光ディスク装置として、フェライトを用いたノイズフィルタを、レーザーダイオードから出射されるレーザー光の強さを監視するモニタダイオードと該モニタダイオードの出力信号を処理する回路との間に設ける。上記ノイズフィルタは、上記モニタダイオードと上記回路を結ぶ信号線の周囲に発生したノイズとしての交流磁界による磁力線を集め、これによる磁気エネルギーを熱エネルギーに変換することで、該ノイズ磁界に起因して信号線に重畳する高周波ノイズを抑える。
具体的には、
（１）レーザーダイオードを駆動するレーザー駆動回路と、モニタダイオードの出力信号に基づき、上記レーザー駆動回路を介し上記レーザーダイオードの出力を制御するための制御信号を形成する出力制御回路と、フェライトを用いて構成され、上記モニタダイオードと上記出力制御回路との間に設けられるノイズフィルタとを備え、上記ノイズフィルタにより、上記モニタダイオードの出力信号にノイズが重畳するのを抑えた状態で、上記レーザーダイオードの出力を制御する構成とする。
（２）レーザーダイオードを駆動するレーザー駆動回路と、上記レーザーダイオードから出射されるレーザー光の強さを監視するモニタダイオードと、該モニタダイオードの出力信号を増幅する増幅回路を含み、該増幅された信号に基づき、上記レーザー駆動回路を介し上記レーザーダイオードの出力を制御するための制御信号を形成する出力制御回路と、フェライトを用いて構成され、上記モニタダイオードと上記増幅回路との間に設けられるノイズフィルタとを備え、上記ノイズフィルタにより上記モニタダイオードの出力へのノイズ重畳を抑えた状態で上記制御信号を形成し、該制御信号により上記レーザー駆動回路の出力を制御する構成とする。
【０００６】
【発明の実施の形態】
以下、本発明の実施例につき、図面を用いて説明する。
図１〜図３は、本発明の光ディスク装置の一実施例の説明図である。図１は光ディスク装置の構成例を示す図、図２は、モニタダイオードと出力制御回路との間の接続構成例を示す図、図３は、信号波形による本発明の効果の説明図である。
図１または図２において、１００は光ディスク、２０は光ピックアップ、８は光ピックアップ２０内の光学系、９は光学系８内の対物レンズ、６はレーザーダイオード、７はレーザーダイオード６を駆動するレーザー駆動回路、２は、レーザーダイオードから出射されるレーザー光の強さを監視するモニタダイオード、１はフェライトを用いたノイズフィルタ、１０は、対物レンズ９を駆動するアクチュエータ、１１は、光ピックアップ２０の光学系８により取り込んだディスク１００の記録面からの光情報としての反射光を受光し電気信号に変換する光検出回路、４は、光検出回路１１の出力信号及びノイズフィルタ１の出力信号を増幅するＲＦ信号増幅回路、５は、ＲＦ信号増幅回路４を含んで構成され、レーザーダイオード６のパワーを自動的に制御する出力制御回路（ＡＰＣ）、１２は、出力制御回路５の出力からＴＥ信号やＦＥ信号を検出するＴＥ信号・ＦＥ信号検出回路、１６は記録信号の形成や再生信号の復調などの信号処理を行う記録・再生信号処理回路、１４は、光ピックアップ２０の駆動を行う光ピックアップ駆動回路、１５はアクチュエータ１０を駆動するアクチュエータ駆動回路、１８は、光ディスク１００を回転させるスピンドルモータ、１７は、スピンドルモータ１８を駆動するスピンドルモータ駆動回路、１３は装置全体の制御を行う制御回路である。上記において、光ピックアップ内に設けられるモニタダイオード２と、装置本体側の基板上に設けられる出力制御回路５との間は信号線により接続される。ノイズフィルタ１は、本実施例構成においては該信号線の出力制御回路５側の端部であってＲＦ信号増幅回路４の直前部に接続される。
【０００７】
上記構成において、例えば再生時は、所定速度で回転する光ディスク１００の記録面に、光ピックアップ２０内のレーザーダイオード６で発生するレーザー光が光学系８を介して照射され、記録面からの反射レーザー光による光情報を、光ピックアップ２０が読取り、該光情報を光検出回路１１で電気信号に変換し、出力制御回路５内のＲＦ信号増幅回路４で増幅する。出力制御回路５内では、該増幅した出力信号に基づき、ＲＦ信号の再生や、レーザー駆動回路７を制御する制御信号の形成や、ＴＥ信号やＦＥ信号を検出する基となる信号の形成などが行われる。また、レーザーダイオード６から出射されるレーザー光の強さはモニタダイオード２で監視される。モニタダイオード２の出力信号（以下、ＭＤ信号という）はノイズフィルタ１を介して上記ＲＦ信号増幅回路４に入力される。該ＲＦ信号増幅回路４では該ＭＤ信号に基づき、上記レーザー駆動回路７を制御する制御信号を形成する。フェライトを用いて構成されたノイズフィルタ１は、その磁気特性により、モニタダイオード２と該ノイズフィルタ１との間、または、モニタダイオード２とＲＦ信号増幅回路４もしくは出力制御回路５との間を結ぶ信号線の周囲に発生した交流磁界（ノイズ磁界）による磁力線を集め、これによる磁気エネルギーを熱エネルギーに変換する。ノイズフィルタ１の該作用により、上記信号線を伝送されるＭＤ信号には上記交流磁界に起因するノイズの重畳が阻止される。信号線の周囲に発生する交流磁界としては例えば、該光ディスク装置の近くで着信動作をする携帯端末による磁界などがある。ＭＤ信号へのノイズの重畳が抑えられることで付随的に、レーザー駆動回路７を制御する制御信号やＴＥ信号やＦＥ信号へのノイズの重畳も抑えられる。この結果、レーザー駆動回路７の制御や、光ピックアップ２０におけるフォーカス制御やトラッキング制御を、それぞれ所定の制御精度を確保した状態で行うことができ、装置の誤動作をなくすことが可能となる。
【０００８】
図３は、上記ノイズフィルタ１によるノイズ低減化効果の説明図である。
図３において、（ａ）は、ノイズフィルタ１を接続しない光ディスク装置の各部の信号波形の測定結果、（ｂ）は、ノイズフィルタ１を接続した光ディスク装置の各部の信号波形の測定結果である。測定は、被測定光ディスク装置を、着信状態にある携帯端末（携帯電話機）から約１０×１０−２ｍ離れた位置に配して行った。（ａ）、（ｂ）それぞれにおいて、（イ）はＦＥ信号の波形、（ロ）はＴＥ信号の波形、（ハ）はＲＦ信号の波形、（ニ）はＭＤ信号の波形である。この結果、ノイズフィルタ１を接続することにより、ＭＤ信号、ＦＥ信号、ＴＥ信号及びＲＦ信号のそれぞれのノイズが大幅に低減化される。
【０００９】
以上説明したように、上記実施例によれば、光ディスク装置において、ノイズフィルタ１により、簡易構成かつ小スペース下で、信号線における大幅なノイズ低減が可能となり、ＦＥ信号や、ＴＥ信号や、ＲＦ信号のノイズを大幅に減らすことが可能となる。
【００１０】
なお、上記実施例では、出力制御回路（ＡＰＣ）５の外部にＴＥ信号・ＦＥ信号検出回路１２を設ける構成としたが、出力制御回路（ＡＰＣ）５の内部でＴＥ信号やＦＥ信号を検出する構成としてもよい。
また、モニタダイオード２と出力制御回路（ＡＰＣ）５との間に接続するノイズフィルタとしては、モニタダイオード２と該ノイズフィルタとの間、または、モニタダイオード２とＲＦ信号増幅回路４もしくは出力制御回路５との間を結ぶ信号線の周囲に発生するノイズ磁界に基づく磁気エネルギーを熱エネルギーに変換できるものであれば、フェライトの他、例えば他の磁性材を用いて構成されるものであってもよい。
【００１１】
【発明の効果】
本発明によれば、光ディスク装置において、ＦＥ信号や、ＴＥ信号や、ＲＦ信号等におけるノイズの大幅低減化が可能となり、正確な制御や良好な画質の確保が可能となる。
【図面の簡単な説明】
【図１】本発明の実施例としての光ディスク装置の構成例を示す図である。
【図２】本発明におけるモニタダイオードと出力制御回路との間の接続構成例を示す図である。
【図３】本発明の効果の説明図である。
【符号の説明】
１…ノイズフィルタ、  ２…モニタダイオード、  ４…ＲＦ信号増幅回路、  ５…出力制御回路、  ６…レーザーダイオード、  ７…レーザー駆動回路、  ８…光ピックアップ内の光学系、  ９…対物レンズ、  １０…アクチュエータ、  １１…光検出回路、  １２…ＴＥ信号・ＦＥ信号検出回路、  １３…制御回路、２０…光ピックアップ、  １４…光ピックアップ駆動回路、  １５…アクチュエータ駆動回路、  １６…記録・再生信号処理回路、  １７…スピンドルモータ駆動回路、  １８…スピンドルモータ、  １００…光ディスク。
【図１】
2004253066.tif 000003
【図２】
2004253066.tif 000004
【図３】
2004253066.tif 000005